(57)【要約】  表示画面が大型化しても搬送・輸送が容易であり、搬送に必要なエネルギーや排出炭素量を低減して地球環境にも優しい投写型映像表示装置を提供する。  映像表示面に表示された映像を映像光として投写する映像投写ユニットから投写された映像光を透過型スクリーンの背面に拡大投写する投写型映像表示装置において、映像投写ユニットは、斜投写光学系を構成すると共に、更に、透過型スクリーン（１）と平面ミラー（２９）は、互いに平行に、かつ、それぞれ、独立して、側板（１７）を含むキャビネット部（Ｃ）上に垂直に固定して配置され、そして、透過型スクリーンの背面側には、平面ミラーの背面を覆うように、折り曲げ可能なバックカバー（３０、３１）が着脱可能に取り付けられている。
2012042643.tif 000002
【特許請求の範囲】
【請求項１】
透過型スクリーンと、
映像表示面に表示された映像を映像光として投写する映像投写ユニット、そして、
前記映像投写ユニットから投写された映像光を前記透過型スクリーンの背面に拡大投写する投写光学系とを基台上に搭載し、かつ、
前記投写光学系の一部には、前記映像投写ユニットからの映像光を反射して前記透過型スクリーンに投写するための平面ミラーを備えた投写型映像表示装置において、
前記映像投写ユニットは、斜投写光学系を構成すると共に、更に、
前記透過型スクリーンと前記平面ミラーは、互いに平行に、かつ、それぞれ、独立して、前記基台上に、垂直に固定して配置されており、そして、前記透過型スクリーンの背面側には、前記平面ミラーの背面を覆うように、折り曲げ可能なバックカバーが着脱可能に取り付けられていることを特徴とする投写型映像表示装置。
【請求項２】
前記請求項１に記載した投写型映像表示装置において、更に、前記透過型スクリーンと前記平面ミラーは、前記基台上に、着脱可能に取り付けられていることを特徴とする投写型映像表示装置。
【請求項３】
前記請求項１に記載した投写型映像表示装置において、更に、前記透過型スクリーンと前記平面ミラーを互いに平行に保持するための梁部材を備えていることを特徴とする投写型映像表示装置。
【請求項４】
前記請求項１に記載した投写型映像表示装置において、前記着脱可能なバックカバーは、前記平面ミラーの背面から取り外して平板状に戻すことが可能であることを特徴とする投写型映像表示装置。
【請求項５】
前記請求項１に記載した投写型映像表示装置において、前記着脱可能なバックカバーは、少なくとも１枚のカバー部材から構成されていることを特徴とする投写型映像表示装置。
【請求項６】
前記請求項５に記載した投写型映像表示装置において、前記着脱可能なバックカバーは、２枚のカバー部材から構成されており、当該２枚のバックカバー部材の端部には、互いに接合可能な部材が取り付けられていることを特徴とする投写型映像表示装置。
【発明の詳細な説明】
【技術分野】
【０００１】
本発明は、投写型映像表示装置に関する。
【背景技術】
【０００２】
表示画面を大きくした大型の映像表示装置としては、液晶パネルなどの映像表示素子を使用して映像を投影する映像投写ユニットにより、透過型の投写面に投写する投写型映像表示装置が、既に知られており、かつ、広く利用されている。【０００３】
従来、例えば、以下の特許文献１によれば、映像投写ユニットを内部に収納すると共に、その前面に投写スクリーンを直立した筺体の背面内壁に、映像投写ユニットからの映像を反射するミラーを所定の傾斜角で取り付ける構造が、既に開示されている。【０００４】
また、以下の特許文献２によれば、投写スクリーンの背面側において、ミラーを必要としない投射表示装置についても既に知られており、当該特許文献には、ホログラムを用いることにより、斜め投射においても、コントラストが高く、明るい映像光を、所定の方向に透過又は反射するものが開示されている。【０００５】
更に、以下の特許文献３によれば、斜め投写光学系を利用し、筺体の前面に直立して保持された投写スクリーンに映像を投影すると共に、当該投写スクリーンの背面において、当該スクリーンと同様、直立して保持されたミラーによって、映像を反射して投写スクリーンに投影する背面投射型ディスプレイ装置も既に知られている。
【先行技術文献】
【特許文献】
【０００６】
【特許文献１】特開２００８−７６９０１号公報
【特許文献２】特開平１１−２９５８１６号公報
【特許文献３】特開２００６−１８１４０号公報
【発明の概要】
【発明が解決しようとする課題】
【０００７】
しかしながら、上述した従来技術では、映像表示素子を使用して透過型の投写面に映像を投影する投写型映像表示装置であって、特に、当該装置において、投写面であるスクリーンと、映像を投影する映像投写ユニットと、当該映像投写ユニットからの映像を反射するミラーとを組み立てて一体に保持するための筺体の構造に関しては、十分な改良が行われていなかった。【０００８】
例えば、上記特許文献１に開示された映像表示装置では、その表示画面の大型化に伴ってその筺体も大型化してしまい、そのため、特に、当該装置の搬送・輸送において困難や不便を生じてしまう。また、映像投写ユニットからの映像を反射するミラーを、所定の角度だけ傾斜させて筺体の背面内壁に取り付ける必要があることから、当該筺体の背面内壁には所要の機械的強度が要求され、かつ、ミラーの変形防止のため厚さが増すなど、筺体の強度を更に強化する必要が生じる。更に、その製造には所要の製作精度が要求されることから、製造コストの上昇を招いてしまうという問題があった。【０００９】
なお、上記特許文献２に記載された投射表示装置では、かかる問題点は解消されるものの、ホログラムを用いない現状の映像投写ユニットによる投写型映像表示装置に適用した場合には、コントラストが高くかつ明るい映像光を得ることは困難であった。【００１０】
加えて、上記特許文献３により知られた投射表示装置では、投写面であるスクリーンと、映像を投影する映像投写ユニットと、当該映像投写ユニットからの映像を反射するミラーとを組み立てて一体に保持するための筺体の構造に関しては、上述した表示画面の大型化に伴う筺体の大型化、更には、装置の搬送・輸送における困難や不便さについて十分な考慮が払われてはいなかった。【００１１】
本発明は、上述した従来技術における問題点に鑑みて為されたものであり、そして、その目的は、上記従来技術における問題点を解消し、表示画面が大型化しても、その搬送・輸送における困難や不便さがなく、かつ、装置の製造コストの上昇を招くことのない筺体構造を備えた投写型映像表示装置を提供することにある。
【課題を解決するための手段】
【００１２】
本発明によれば、上記の目的を達成するため、まず、透過型スクリーンと、映像表示面に表示された映像を映像光として投写する映像投写ユニット、そして、前記映像投写ユニットから投写された映像光を前記透過型スクリーンの背面に拡大投写する投写光学系とを基台上に搭載し、かつ、前記投写光学系の一部には、前記映像投写ユニットからの映像光を反射して前記透過型スクリーンに投写するための平面ミラーを備えた投写型映像表示装置において、前記映像投写ユニットは、斜投写光学系を構成すると共に、更に、前記透過型スクリーンと前記平面ミラーは、互いに平行に、かつ、それぞれ、独立して、前記基台上に、垂直に固定して配置されており、そして、前記透過型スクリーンの背面側には、前記平面ミラーの背面を覆うように、折り曲げ可能なバックカバーが着脱可能に取り付けられている投写型映像表示装置が提供される。【００１３】
また、本発明では、前記の投写型映像表示装置において、更に、前記透過型スクリーンと前記平面ミラーは、前記基台上に、着脱可能に取り付けられていることが好ましい。又は、更に、前記透過型スクリーンと前記平面ミラーを互いに平行に保持するための梁部材を備えていることが好ましい。【００１４】
そして、本発明では、前記着脱可能なバックカバーは、前記平面ミラーの背面から取り外して平板状に戻すことが可能であることが好ましく、特に、前記着脱可能なバックカバーは、少なくとも１枚のカバー部材から構成されていることが好ましい。又は、前記着脱可能なバックカバーは、２枚のカバー部材から構成されており、当該２枚のバックカバー部材の端部には、互いに接合可能な部材が取り付けられていることが好ましい。
【発明の効果】
【００１５】
上述した本発明によれば、表示画面が大型化しても、その着脱可能な組み立て構造から、その搬送・輸送における困難や不便さがなく、移動又は搬送に必要なエネルギーや排出炭素量を低減可能で、地球環境にも優しい投写型映像表示装置が提供されると言う、極めて優れた効果を発揮することが出来る。
【図面の簡単な説明】
【００１６】
【図１】本発明の一実施の形態になる投写型映像表示装置を後方から見た場合の全体の斜視図である。
【図２】上記投写型映像表示装置の個々の部品に分解した状態を示す分解斜視図である。
【図３】上記投写型映像表示装置の個々の部品の一部を組み立てた状態で示す一部分解斜視図である。
【図４】完成した状態の投写型映像表示装置の側面図、及び、一部断面を含む側面図である。
【図５】上記投写型映像表示装置のハウジング（バックカバー）の詳細構造を示す斜視図、及び、その展開斜視図である。
【図６】分解された出荷時における投写型映像表示装置の状態の一例を示す斜視図である。
【図７】本発明の投写型映像表示装置に適用可能な映像投写ユニットにおける斜投写光学系の原理を説明する図である。
【図８】上記映像投写ユニットにおける投写レンズの詳細構造の一例を示す図である。
【図９】上記映像投写ユニットにおける投写レンズの配置構造の一例を示す断面図である。
【図１０】上記投写型映像表示装置において透過型スクリーンを構成するリニアフレネル方式のスクリーンの詳細構造を示す断面図である。
【図１１】上記投写型映像表示装置において透過型スクリーンを構成するサーキュラーフレネル方式のスクリーンの詳細構造を示す断面図である。
【図１２】上記映像投写ユニットの全体構成の一例を示すブロック図である。
【発明を実施するための形態】
【００１７】
以下、本発明の実施の形態について、添付の図面を参照しながら詳細に説明する。なお、以下の各図において、共通な機能を有する要素は、同一符号を付して示し、かつ、一度説明したものについては、その重複を避けるため、その後での説明は省略する。
【００１８】
まず、添付の図１は、本発明の一実施の形態になる投写型映像表示装置が、その後方から見た場合の全体の斜視図として示されており、この図において、符号２は、当該投写型映像表示装置において投写面を構成する投射型のスクリーンの下端に取り付けられた枠体を、符号３は、その両側端に取り付けられた枠体を、そして、符号４は、その上端に取り付けられた枠体を、それぞれ示している。そして、このスクリーンの背面側には、複数の（本例では、２枚の）、折り曲げ可能なハウジングであり、スクリーンの背面に入射する外光を遮蔽するためのバックカバー３０、３１が取り付けられ、その下方には、棚状の収納部２４が設けられると共に、その内部には、当該スクリーンに映像を投影する映像投写ユニット３５が配置されている。なお、図の符号２３は、棚状の収納部２４の後端に取り付けられた「Ｕ」字状の補強部材であり、また、符号２６は、後にも説明する符号２５と一対を成し、もって、後述するミラーの下端とスクリーンの下端との間に取り付けられる部材である。棚状収納部２４の黒く表示された部分には、外気が通過する際、粉塵を取り除くためのフィルターが設けられる場合もある。また、この図中の符号３６は、上記２枚の折り曲げ可能なバックカバー３０、３１の間を接合する部材を示しており、例えば、カバーに開けた貫通穴に挿入して固定する、ピンや面ファスナーなどを利用することが出来る。
【００１９】
また、このスクリーンの下部には、当該装置を搭載するための基台として、一対の側板１７が縦方向に並べられて配置されており、その間には外形が「Ｉ」字状の補強板２０、２１が取り付けられている。そして、これら一対の側板１７の下辺には、それぞれ、脚部１４が取り付けられており。なお、各脚部１４には、それぞれ２個のローラ１５、１５が取り付けられており、これにより表示装置全体が、床面上を容易に移動することを可能とすると共に、各脚部１４の後方には、ストッパー１６が取り付けられ、もって、所望の位置に静止可能になっている。なお、図中の符号５は、各脚部１４の前方に取り付けられた安全カバーであり、符号１３は、上記ストッパー１６を脚部１４の後方に取り付けるためのストッパーの固定具である。また、図中の符号１８は、上記一対の側板１７の一方に取り付けられた、例えば、上下昇降機構を収納する収納部を示している。
【００２０】
続いて、添付の図２には、上述した投写型映像表示装置を個々の部品に分解した状態を示している。図からも明らかなように、投写面を構成する透過型スクリーンは符号１で示されており、その上下及び両側端には、枠体４、２及び３が、それぞれ一体に取り付けられている。図中の符号５及び６は、表示装置の正面において、上記一対の側板１７の前端縁に取り付けられるボードであり、これらの部材は、上記スクリーン１の下に位置し、上記「Ｉ」字状の補強板２０、２１、更には、複数の、やはり外形が「Ｉ」字状の補強板７、８、９、１０、１１によって、箱状に組み立てられる。また、上記の棚状の収納部２４は、その両側に壁部を形成し、その後端縁部には、上記「Ｕ」字状の補強部材２３と共に、「Ｉ」字状の補強板２２が取り付けられる。
【００２１】
そして、この図では、上述したミラーが符号２９により示されており、このミラー２９の上辺には枠体２８が取り付けられると共に、その下辺には、一対の「Ｌ」字状の部材が取り付けられている。更に、この図では、上述した２枚の折り曲げ可能なハウジング（バックカバー）３０、３１が、それぞれ分離して示されている。また、図中の符号３２は、一対の梁部材であり、それぞれ、一方の端部を上記スクリーン１の枠体４に、そして、他方の端部を上記ミラー２９の上辺枠体２８に連結される。なお、図中の符号、５、１３、１４、１５、１６は、それぞれ、安全カバー、ストッパーの固定具、脚部、ローラ、ストッパーを、それぞれ示している。
【００２２】
更に、添付の図３には、上述した部品の一部を組み立てることにより、投写型映像表示装置を構成する主要な部分に構成した状態を示している。即ち、符号Ａは、上述したスクリーン１を含むスクリーン部を、Ｂは脚部を、Ｃはキャビネット部を、それぞれ、示している。そして、図からも明らかなように、これらの部位を一体に組み立てると共に、更に、キャビネット部Ｃの後方には、収納部２４を取り付けると共に、ミラー２９を植立する。即ち、その下辺に取り付けた一対の「Ｌ」字状の部材の突出した部分を、キャビネット部Ｃの一部に設けられた孔（図示せず）に挿入する。そして、スクリーン１の下端とミラー２９の下端との隙間には、上記一対の部材２５、２６を取り付けると共に、スクリーン１の上端の枠体４と、ミラー２９の上端の枠体２８との間には、上記一対の梁部材３２を固定する。その後、上記スクリーン１の後方には、上記ミラー２９と一対の梁部材３２を覆うようにしてハウジング（バックカバー）３０、３１が取り付けられ、もって、投写型映像表示装置の組み立てが完成する。なお、その際、バックカバー３０、３１を、上述したピンや面ファスナーなどの接合部材を利用することにより、簡単に、スクリーン１の上端の枠体４やその両側端の枠体３に取り付け可能とすることが出来る。
【００２３】
この完成した投写型映像表示装置の側面図が、添付の図４（Ａ）に示されており、更に、そのスクリーン１とミラー２９（図４（Ｂ））を中央部で縦方向に切断した状態で示す装置の側面図が、添付の図４（Ａ）に示されている。即ち、これらの図からも明らかなように、上述した投写型映像表示装置では、スクリーン１とミラー２９とは、一対の脚部１４から植立した一対の側板１７を含むキャビネット部Ｃ（所謂、基台：図３を参照）の上に、それぞれ、独立して植立されており、更には、上述した一対の梁部材３２により、互いに平行になるように配置されて固定されている。そして、スクリーン１とミラー２９をその背面から覆うハウジング（バックカバー）３０、３１は、それぞれ独立して固定されたスクリーン１とミラー２９とを、その外周から覆うだけであり、換言すれば、従来の投写型映像表示装置におけるハウジングの概念、即ち、ハウジングにスクリーン取り付け、当該スクリーンに対してミラーを所定の距離と角度で取り付ける構造（機能）とは全くその発想を異ならせるものである。
【００２４】
即ち、添付の図５には、本発明になる投写型映像表示装置のハウジング（バックカバー）３０、３１が示されており、より具体的には、図５（Ａ）は、装置の背面に取り付けられた（折り曲げられた）状態のハウジング（バックカバー）３０、３１を示しており、そして、図５（Ｂ）は、装置から取り外した状態で、それぞれ、平板に戻した状態のハウジング（バックカバー）３０、３１を示している。即ち、従来の投写型映像表示装置では、ハウジングにより、スクリーンに対してミラーを所定の距離と角度で取り付けるという構造であることから、当該ハウジングの外形寸法が大きくなってしまうが、これに対して、上述した本発明の構造では、ハウジング（バックカバー）３０、３１は、折り曲げ可能であり、これを取り外すと共に、平板状に戻すことが出来る。なお、上述したハウジング（バックカバー）３０、３１は、軽量で、かつ、比較的安価であり、柔らかく、加工性にも優れた樹脂材である、例えば、ＰＶＣ（ポリ塩化ビニル）などを使用することが好ましい。
【００２５】
そこで、添付の図６にも示すように、例えば、生産工場から出荷する際、当該投写型映像表示装置を、例えば、上記図３に示したような部位及び部品の単位に分解することによれば、従来の投写型映像表示装置の梱包に使用される、例えば、段ボール箱などに比較して十分に小さい、特に、その奥行が薄い平板状の収納箱を利用して梱包することが可能となる。なお、図６（Ａ）は、ハウジング（バックカバー）３０、３１を段ボール箱に収納する前の状態を、そして、図６（Ｂ）は、ハウジング（バックカバー）３０、３１を段ボール箱に収納した後の状態を、それぞれ示している。なお、これらのバックカバー３０、３１の数は、２枚に限定されるものではなく、例えば、１枚で構成してもよく、あるいは、３枚又はそれ以上の枚数で構成してもよい。
【００２６】
以上によれば、一般に、投写型映像表示装置を構成する構成要素のうち、最も容量の大きな部位、即ち、スクリーンと平面ミラーとを含み、その内壁面に当該平面ミラーを取り付けたハウジング部分を、従来の構造に代えて、上述した２枚の折り曲げ可能なバックカバー３０、３１にすることにより、当該バックカバー３０、３１を容易に取り外すことが可能となり、かつ、それに伴って、上記のスクリーン１と平面ミラー２９をも容易に取り外すことが可能となることから、当該投写型映像表示装置を必要な単位の部位や部品にまで分解する（上記図３及び図６を参照）ことによれば、比較的に小さな（奥行が薄い）平板状の収納箱に収納することにより、容易に、移動又は搬送することが可能となる。なお、このことは、例えば、製品の出荷時等においては、同じ台数の投写型映像表示装置であっても、従来の構造ものに比較し、より少ない台数のトラックや車両によって移動又は搬送することが出来ることから、移動又は搬送に必要なエネルギーや排出炭素量を低減し、地球環境にも優しいことを意味している。
【００２７】
続いて、以下には、上述した本発明の投写型映像表示装置を構成するために必要な映像投写ユニット３５やスクリーン１の詳細について説明を加える。
＜映像投写ユニットの光学系＞
【００２８】
添付の図７は、本発明の投写型映像表示装置に適用可能な映像投写ユニット３５において、斜投写光学系を実現する投写レンズと、光路折り返しミラー（即ち、平板ミラー）２９、更には、透過型スクリーン１の配置を示している。即ち、これは、投写レンズの光軸シフト量が大きく、投写レンズのミラーＭ１の上端よりも、光路折り返しミラー２９の下端が下に位置する、所謂、斜投写光学系を構成している。即ち、投写型映像表示装置に適用する映像投写ユニット３５として、斜投写光学系の構成のものを採用することにより、光路折り返しミラー２９を、透過型スクリーン１と同様に、垂直方向に配置することが出来、そのため、上述したように、スクリーン１とミラー２９とを、キャビネット部Ｃ（図３を参照）の上に、それぞれ、独立して植立することが可能となる。なお、上記の例では、スクリーン１とミラー２９は、更に、一対の梁部材３２により、互いに平行になるように保持されている。
【００２９】
図８は、上記の図７に示した投写レンズの一例を示したものであり、更に、添付の図９（Ａ）及び（Ｂ）には、この投写レンズのＹＺ断面とＸＺ断面が示されている。なお、この投写レンズを構成するレンズＬ１〜Ｌ１０のレンズデータを以下の表１に示す。
【表１】
2012042643.tif 000003
【００３０】
更に、非球面レンズＬ２、Ｌ６のレンズ面形状のサグ量を表すＺは、以下の式で表され、その非球面係数は以下の表２に示す通りである。
【数１】
2012042643.tif 000004
【表２】
2012042643.tif 000005
【００３１】
また、図の符号Ｍ１は、自由曲面形状を成すミラーであり、そのサグ量Ｚは、以下の式により表され、その自由曲面係数は、以下の表３に示される。
【数２】
2012042643.tif 000006
【表３】
2012042643.tif 000007
【００３２】
上記の表から、本実施例では、コーニック係数「ｋ」が０となっていることがわかる。斜め入射による台形歪は、斜め入射の方向に極端に大きく発生し、これと垂直な方向に歪量は小さい。従って、斜め入射の方向とこれに垂直な方向とでは、大幅に異なる機能が必要であり、回転対称で全方向に機能する上記コーニック係数ｋを利用しないことにより、非対称な収差を良好に補正することができる。また、面番号（１８）、面番号（１９）、面番号（２０）、面番号（２１）、は自由曲面レンズの各屈折面であり、面番号（２２）は自由曲面ミラーの反射面であって、面番号の横に形状の名称を付けて示している。これら５つの自由曲面の形状は上記の数２で表され、上記の式において各ｍ、ｎの値に対する係数Ｃ（ｍ，ｎ）の値を表３に示す。なお、２枚の自由曲面レンズは、反射ミラー系の自由曲面ミラーＭ２と連携して、斜投射によって生じる台形歪を補正するものである。
＜透過型スクリーン＞
【００３３】
上述した斜投写光学系の映像投写ユニットから投射されて上記平面ミラー（光路折り返しミラー）２９上で反射した映像光は、以下の透過型スクリーンの背面に入射した後、監視側に向かって出射する。なお、この透過型スクリーンとしては、以下にも述べるように、リニアフレネル方式のもの、又は、サーキュラーフレネル方式のものを利用することが出来る。
【００３４】
図１０（Ａ）及び（Ｂ）は、リニアフレネル方式の透過型スクリーンの詳細構造を示しており、この図からも明らかなように、このスクリーンは、観視側表面には、図示しない拡散材を含んだ拡散層と傷防止のため硬化表面層（ハードコート層）を設けると共に、その光源側（ハウジング内部）の表面には、多数のリニアフレネルレンズ１３６を水平方向に形成したフレネルシート基材１３５によって構成されている。かかるリニアフレネル方式の透過型スクリーンによれば、図からも明らかなように、斜投写光学系の映像投写ユニットから投射される映像光線を監視側に出射することが出来る。
【００３５】
なお、かかるリニアフレネル方式の透過型スクリーンは、例えば、ロール巻きされたフレネルシート基材をシート送り出し機により平坦な状態で送り出し、その際、シート表面の一方の面に紫外線又は可視光又は電子線で硬化する樹脂が塗布し、そして、リニアフレネル成形ロールによりフレネルレンズ形状を成形して硬化することにより、量産性が向上し、製造コストの低減を図ることが可能となる。また、材質としては高透過率なポリカーボネイト、ポリエチレンテレフタレート、ポリプロピレンなどが候補となるが、寸法安定性を考慮するとポリカーボネイト、ポリエチレンテレフタレートなどの低吸湿材料が良い。また、スクリーン基材としては透過率が高いアクリル、ポリカーボネイト、ポリスチレンなどが良い。
【００３６】
図１１（Ａ）及び（Ｂ）は、サーキュラーフレネル方式の透過型スクリーンの詳細構造を示している。即ち、かかるサーキュラーフレネル方式の透過型スクリーンによっても、上記のリニアフレネル方式の透過型スクリーンと同様に、斜投写光学系の映像投写ユニットから投射される映像光線を監視側に出射することが出来る。
＜映像投写ユニットの全体構成＞
【００３７】
次に、上述した映像投写ユニットの全体構成の一例について、添付の図１２を参照して説明する。図１２において、光源１９９は、ランプ管球２００と、リフレクタ２０１とからなる。このランプ１９９は、高圧水銀ランプの白色ランプである。また、リフレクタ２０１は、ランプ２００を背後側から覆うように配置された、例えば、回転放物面形状の反射面を有するものであり、円形又は多角形の出射開口を有している。そして、このランプ管球２００から射出された光は、回転放物面形状の反射面を有するリフレクタ２０１によって反射され、光軸２１５に略平行な光束となり射出される。光源１９９から射出された光は、マルチレンズ方式のインテグレータに入射する。
【００３８】
上述したように、マルチレンズ方式インテグレータ２０３は、第１のマルチレンズ素子２０３ａと第２のマルチレンズ素子２０３ｂとから構成されている。なお、第１のマルチレンズ２０３ａのレンズセル形状は、光軸２１５方向から見て液晶パネル２２２ａ、２２２ｂ、２２２ｃとほぼ相似な矩形形状を有しており、複数のレンズセルがマトリックス状に配設されて形成されたものであり、光源から入射した光を複数のレンズセルで複数の光に分割し、もって、効率よく第２のマルチレンズ素子２０３ｂと偏光変換素子２０４を通過するように導く。すなわち、第１のマルチレンズ素子２０３ａは、ランプ管球２００と第２のマルチレンズ素子２０３ｂの各レンズセルとが光学的に共役な関係になるように設計されている。
【００３９】
第２のマルチレンズ素子２０３ｂのレンズセル形状は、第１のマルチレンズ素子２０３ａと同様に、光軸２１５方向から見て矩形形状であり、かつ、複数のレンズセルがマトリクス状に配設された構成を有しており、当該レンズ素子を構成するレンズセルは、それぞれ、対応する第１のマルチレンズ素子２０３ａのレンズセル形状を、重畳レンズ２０８ａ、２０８ｂ、２０８ｃと共に液晶パネル２２２ａ、２２２ｂ、２２２ｃ上に投影（写像）する。そして、この過程で、偏光変換素子２０４の働きによって、第２のマルチレンズ素子２０３ｂからの光は所定の偏光方向に揃えられる。同時に、第１のマルチレンズ素子２０３ａの各レンズセルによる投影像は、それぞれ、重畳レンズ２０８ａ、２０８ｂ、２０８ｃの働きにより重畳され、もって、それぞれに対応した液晶パネル２２２ａ、２２２ｂ、２２２ｃ上の光量分布が一様となる。
【符号の説明】
【００４０】
１…投射型スクリーン、１７…側板、Ｃ…キャビネット部、２９…平面ミラー（光路折り返しミラー）、３０、３１…ハウジング（バックカバー）、３２…梁部材、３５…映像投写ユニット、３６…接合部材。
【図１】
2012042643.tif 000008
【図２】
2012042643.tif 000009
【図３】
2012042643.tif 000010
【図４】
2012042643.tif 000011
【図５】
2012042643.tif 000012
【図６】
2012042643.tif 000013
【図７】
2012042643.tif 000014
【図８】
2012042643.tif 000015
【図９】
2012042643.tif 000016
【図１０】
2012042643.tif 000017
【図１１】
2012042643.tif 000018
【図１２】
2012042643.tif 000019
【国際調査報告】
2012042643.tif 000020
2012042643.tif 000021
2012042643.tif 000022
2012042643.tif 000023